(57)【特許請求の範囲】
【請求項１】
導電性を有する遊技球が一列に整列した状態で通る球通路に設けられる複数のスイッチを備え、各スイッチは、前記導電性遊技球を介して導通する一対の導電性部材を有し、
前記複数のスイッチは、
前記導電性遊技球が一列に間隔を空けずに整列した状態のときは、当該複数のスイッチのうち一のスイッチを構成する一対の導電性部材が前記導電性遊技球と接触状態のときには当該複数のスイッチのうち前記一のスイッチとは異なる他のスイッチを構成する一対の導電性部材が前記導電性遊技球と非接触状態となるよう、所定間隔を置いて配設されており、
前記各スイッチの導通時間を計測し、いずれかのスイッチの導通時間が、正常時の当該スイッチの導通時間に基づき設定された所定導通時間を超えたことを条件として、球詰まりの発生を検出し、さらに、前記各スイッチの遮断時間を計測し、全てのスイッチの遮断時間が、正常時の当該スイッチの遮断時間に基づき設定された所定遮断時間を超えたことを条件として、球切れの発生を検出する異常判定手段を備えていることを特徴とするパチンコ遊技機。
【請求項２】
前記球通路は、パチンコ遊技機裏面のタンクレール内の払出球供給通路であり、
前記異常判定手段は、さらに賞球払出装置が作動中であることを条件として、前記球詰まりの発生および前記球切れの発生を検出することを特徴とする請求項１に記載のパチンコ遊技機。
【請求項３】
前記球通路は、パチンコ遊技機前面の上皿内の発射球供給通路であり、
前記異常判定手段は、さらに球発射装置が作動中であることを条件として、前記球詰まりの発生および前記球切れの発生を検出することを特徴とする請求項１に記載のパチンコ遊技機。
【発明の詳細な説明】
【技術分野】
【０００１】
本発明は、パチンコ遊技機、詳しくは、パチンコ遊技機に異常状態が発生したことを検出し、報知するパチンコ遊技機に関する。
【背景技術】
【０００２】
第２種パチンコ遊技機（いわゆる羽根物）として、遊技球が始動入賞口に入賞すると可変入賞装置が作動し、その作動中に遊技球が可変入賞装置内の特定領域に入賞すると特定遊技状態（いわゆる大当たり）となり、図柄変動表示装置の表示図柄が変動して停止し、この停止した表示図柄の種類に応じて特定遊技状態の継続可能ラウンド数が決定されるものが知られている（例えば、特許文献１参照）。
【０００３】
近年、この種のパチンコ遊技機などに対して、強力な磁石を用い、この磁石を遊技盤前面のガラス板に当てて可変入賞装置に入賞した遊技球をガラス板を挟んで捕捉し、その後、タイミングを見計らって磁石をガラス板から離して遊技球を可変入賞装置内の特定領域に入賞させ、不正に賞球を獲得する不正行為が増加している。なお、本願に先立ち、先行技術を調査したところ特許文献２を見出した。
【特許文献１】特開２００２−１１１７１公報
【特許文献２】特開２００５−３４９１１５公報
【発明の開示】
【発明が解決しようとする課題】
【０００４】
本発明は、上記の如き不正行為を検出し、不正な賞球獲得を未然に防止することを基本的な目的としてなされたものである。
【課題を解決するための手段】
【０００５】
本発明のパチンコ遊技機は、導電性を有する遊技球が一列に整列した状態で通る球通路に設けられる複数のスイッチを備え、各スイッチは、前記導電性遊技球を介して導通する一対の導電性部材を有し、前記複数のスイッチは、前記導電性遊技球が一列に間隔を空けずに整列した状態のときは、当該複数のスイッチのうち一のスイッチを構成する一対の導電性部材が前記導電性遊技球と接触状態のときには当該複数のスイッチのうち前記一のスイッチとは異なる他のスイッチを構成する一対の導電性部材が前記導電性遊技球と非接触状態となるよう、所定間隔を置いて配設されており、前記各スイッチの導通時間を計測し、いずれかのスイッチの導通時間が、正常時の当該スイッチの導通時間に基づき設定された所定導通時間を超えたことを条件として、球詰まりの発生を検出し、さらに、前記各スイッチの遮断時間を計測し、全てのスイッチの遮断時間が、正常時の当該スイッチの遮断時間に基づき設定された所定遮断時間を超えたことを条件として、球切れの発生を検出する異常判定手段を備えていることを特徴とする。
【０００７】
ここで、前記球通路は、パチンコ遊技機裏面のタンクレール内の払出球供給通路であり、前記異常判定手段は、さらに賞球払出装置が作動中であることを条件として、前記球詰まりの発生および前記球切れの発生を検出するよう構成することができる。
【０００９】
また、前記球通路は、パチンコ遊技機前面の上皿内の発射球供給通路であり、前記異常判定手段は、さらに球発射装置が作動中であることを条件として、前記球詰まりの発生および前記球切れの発生を検出するよう構成することができる。
【発明を実施するための最良の形態】
【００１１】
以下、本発明の実施形態を図面に基づいて説明する。
【００１２】
図１は、本発明の一実施形態に係るパチンコ遊技機の正面図、図２は、同パチンコ遊技機の背面図、図３は、同パチンコ遊技機の電気系統図、図４は、同パチンコ遊技機の可変入賞装置の正面図、図５は、可変入賞装置に対する不正行為の説明図、図６は、上皿の平面図、図７は、上皿の正面図、図８は、上皿の要部拡大平面図、図９は、上皿の要部拡大正面図、図１０は、発射球供給通路の要部断面図、図１１は、タンクレールの平面図、図１２は、タンクレールの正面図、図１３は、タンクレールの要部拡大平面図、図１４は、タンクレールの要部拡大正面図、図１５は、上側スイッチ及び下側スイッチの取付説明図、図１６は、上側スイッチ及び下側スイッチの取付状態図、図１７は、上側スイッチ又は下側スイッチの取付断面図、図１８は、可変入賞装置の変形例の正面図をそれぞれ示す。
【００１３】
図１に示すパチンコ遊技機は、第２種パチンコ遊技機（いわゆる羽根物）である。
【００１４】
図１において、パチンコ遊技機は、遊技盤１の中央部に可変入賞装置２を備える。
【００１５】
パチンコ遊技機の正面右下端部には、球発射装置３（図２）の操作ハンドル４が配されている。また、操作ハンドル４の左上方には、球発射装置３に供給される遊技球を貯留する上皿５が配されている。上皿５の上面には、球受け６（図６）に溜まっている遊技球を下皿７に移し変える際に操作される球抜きボタン８が配設され、また、上皿５の前面には、貸出ボタン、返却ボタンなどからなる球貸し操作部９が配設されている。
【００１６】
パチンコ遊技機の裏面には、図２に示すように、賞球払出装置１１が配設され、この賞球払出装置１１の上流側に、遊技球を貯留し、整列して賞球払出装置１１に供給するタンクレール１２が配設されている。
【００１７】
図４において、可変入賞装置２は、その左上部及び右上部に、遊技領域に発射された遊技球を装置２内に導入可能にする導入口１３、１３がそれぞれ設けられている。各導入口１３には、それぞれ図示しない電動機構によって導入口１３を開放する可動翼部材１４が配されている。各可動翼部材１４は、通常時は閉状態に維持されて導入口１３を閉塞し、装置２内に遊技球が導入されないようにする。また、各可動翼部材１４は、遊技盤１の下部に配された始動入賞口１５に遊技球が入賞したとき、電動機構によって所定時間導入口１３を所定回数だけ開放し、開放状態の導入口１３を介して遊技球を装置２内に導入可能にする。
【００１８】
各導入口１３の内側下方には、球受止板部１６が設けられている。球受止板部１６は、導入口１３を介して装置２内に落下してきた遊技球を受け止め、人形１７の位置する奥側に向かって遊技球を誘導する後傾した傾斜面１８を有している。傾斜面１８上には、前後方向に延びるガイドレール１９A、１９B、１９C、１９Dが左右方向に複数本設けられており、これらのガイドレール１９A、１９B、１９C、１９Dは、遊技球が傾斜面１８上を奥に向かって転動してゆく際の遊技球の左右方向位置を決める作用を果たす。
【００１９】
人形１７の腹部のポケット部２０は、開閉を繰り返す蓋２１を有する。ポケット部２０は、蓋２１の開放時に遊技球が入賞することによって特定遊技状態（いわゆる大当たり）を発生させる特定領域を構成している。
【００２０】
導入口１３を介して装置２内に導入された遊技球は、球受止板部１６の傾斜面１８上に落下し、傾斜面１８上の複数のガイドレール１９A、１９B、１９C、１９Dによって誘導されながら奥に向かって転動する。左右方向中央に位置する一対のガイドレール（球通路）１９B、１９Cによって誘導される遊技球の多くは、人形１７の腹部のポケット部２０に向かって転動してゆき、この遊技球が傾斜面１８から落下するときにポケット部２０の蓋２１が開放していると、遊技球はポケット部２０に入賞して特定遊技状態が発生し、一方、ポケット部２０の蓋２１が閉塞していると、遊技球はポケット部２０の蓋２１で跳ね返され、外れになる。また、左右方向中央に位置する一対のガイドレール１９B、１９C以外のガイドレールによって誘導されながら傾斜面１８上を転動する遊技球の多くは、傾斜面１８の奥から落下し外れになる。
【００２１】
上記のように構成された可変入賞装置２に対し、不正遊技者は、通常次のような操作により不正行為を行う。つまり、可変入賞装置２の可動翼部材１４が導入口１３を開放しているときに遊技球が装置２内に導入されると、図５に示すように、不正遊技者は強力な磁石２２を使用して前面ガラス板２３越しに遊技球２４を捕捉し、遊技球２４を左右方向中央の一対のガイドレール１９B、１９Cの上に載せた状態に保つ。そして、ポケット部２０の蓋２１が開放するタイミングを見計らって磁石２２を前面ガラス板２３から離して上記捕捉した遊技球２４を解放し、この遊技球２４が上記一対のガイドレール１９B、１９C上を転動して蓋２１の開放したポケット部２０に入賞するようにする。
【００２２】
このような不正行為に対し、本実施形態では、図５に示すように、左右方向中央に位置する一対のガイドレール１９B、１９Cに、左右一対の導電性部材２５A、２５Bからなるスイッチ２５を設けている。この左右一対の導電性部材２５A、２５Bは、不正行為が行われて遊技球２４が一対のガイドレール１９B、１９C上に磁石２２によって捕捉されているときに、遊技球２４と接触状態になる位置に設けられている。左右一対の導電性部材２５A、２５B間には電圧が印加されている。
【００２３】
不正行為が行われていない正常な遊技状態のときは、装置２内に導入された遊技球２４が左右方向中央の一対のガイドレール１９B、１９Cの上に載っても、瞬間的にしか左右一対の導電性部材２５A、２５Bと接触せず、遊技球２４は一対のガイドレール１９B、１９C上を人形に向かって転動する。このため、一対の導電性部材２５A、２５Bが導電性を有する遊技球２４を介して導通状態（オン状態）となる時間つまりスイッチ２５の導通時間はきわめて短い。しかし、不正行為が行われて遊技球２４が前面ガラス２３越しに捕捉された状態になると、遊技球２４が左右一対の導電性部材２５A、２５Bと接触している時間は、正常な遊技状態のときの接触時間よりも十分長くなる。このため、このような接触時間換言すると導通時間が、正常な遊技状態のときの接触時間換言すると導通時間に基づき設定された所定導通時間を超えたことを検出することによって不正行為の発生を検出することが可能となる。
【００２４】
図６〜図１０において、上皿５は、凹状の球受け６と、球受け６の下流に設けられ球受け６内の遊技球を一列に整列する発射球供給通路（球通路）２６と、発射球供給通路２６上の遊技球を球発射装置３に案内する球供給口２７とを有する。球受け６内の遊技球は、発射球供給通路２６上で一列に整列されて待機し、球発射装置３の操作ハンドル４が操作されているときに、１個ずつ球発射装置３に供給される。
【００２５】
発射球供給通路２６の球供給口２７近くには、図８〜図１０に示すように、上側スイッチ２８を構成する一対の導電性部材２８A、２８Bと、下側スイッチ２９を構成する一対の導電性部材２９A、２９Bとが、所定間隔を置いて配設されている。この所定間隔は、R×n（R：遊技球の半径、n：奇数）に設定されている。上側スイッチ２８の２つの導電性部材２８A、２８Bは、同一タイミングで遊技球と接触可能なように、発射球供給通路２６の後面３０及び底面３１に設けられており、また、下側スイッチ２９の２つの導電性部材２９A、２９Bも、同一タイミングで遊技球と接触可能なように、発射球供給通路２６の後面３０及び底面３１に設けられている。なお、底面３１は、後面３０に向かって傾斜しており、遊技球は後面３０に接触しながら球供給口２７へと転動する。
【００２６】
遊技球が一列に整列した状態で発射球供給通路２６上を転動するとき、上側スイッチ２８の一対の導電性部材２８A、２８Bが遊技球と接触状態のときには下側スイッチ２９の一対の導電性部材２９A、２９Bは遊技球と非接触状態となり、反対に、上側スイッチ２８の一対の導電性部材２８A、２８Bが遊技球と非接触状態のときには下側スイッチ２９の一対の導電性部材２９A、２９Bは遊技球と接触状態となる。
【００２７】
上側スイッチ２８の一対の導電性部材２８A、２８B、及び下側スイッチ２９の一対の導電性部材２９A、２９Bには、それぞれ電圧が印加されており、遊技球と接触状態のとき遊技球の導電性により導通状態となり、遊技球と非接触状態のとき遮断状態（オフ状態）となる。
【００２８】
上記のように構成される上側スイッチ２８及び下側スイッチ２９は、上皿５内の遊技球が正常に球発射装置３に供給されているときには、短い周期で交互に導通、遮断を繰り返す。これに対し、上皿５内で球詰まりが発生した場合には、上側スイッチ２８又は下側スイッチ２９のいずれか一方のスイッチ２８又は２９が導通状態を継続する。また、上皿５内が球切れになった場合には、上側スイッチ２８及び下側スイッチ２９の両方のスイッチ２８及び２９が遮断状態を継続する。このため、球発射装置３が作動中であることを条件として、上側スイッチ２８と下側スイッチ２９の導通時間及び遮断時間を計測し、上側スイッチ２８又は下側スイッチ２９のいずれか一方のスイッチ２８又は２９の導通時間が、正常時の導通時間に基づき設定された所定導通時間を超えたことを検出することにより球詰まりを検出することが可能となり、また、上側スイッチ２８及び下側スイッチ２９の両方のスイッチ２８、２９の遮断時間が、正常時の遮断時間に基づき設定された所定遮断時間を超えたことを検出することにより球切れを検出することが可能となる。
【００２９】
図１１〜図１７において、タンクレール１２は、遊技機の前後方向に並列した２つの払出球供給通路（球通路）３２、３３を有し、各払出球供給通路３２、３３は、遊技球が載る一対のレール３２Aと３２B、３３Aと３３Bを有する。タンクレール１２内の遊技球は、上流側では不揃いの状態であるが、下流に向かうにしたがって徐々に二列に整列されてゆき、下流側においては、二列の整列した待機状態となる。
【００３０】
各払出球供給通路３２、３３の下流側には、図１３〜図１７に示すように、上側スイッチ３４を構成する一対の導電性部材３４A、３４Bと、下側スイッチ３５を構成する一対の導電性部材３５A、３５Bとが、所定間隔を置いて払出球供給通路３２、３３ごとに配設されている。この所定間隔は、R×n（R：遊技球の半径、n：奇数）に設定されている。上側スイッチ３４の２つの導電性部材３４A、３４Bは、互いに同一タイミングで遊技球と接触可能なように、一対のレール３２Aと３２B、３３Aと３３Bに設けられており、また、下側スイッチ３５の２つの導電性部材３５A、３５Bも、互いに同一タイミングで遊技球と接触可能なように、一対のレール３２Aと３２B、３３Aと３３Bに設けられている。
【００３１】
遊技球が一列に整列した状態で各払出球供給通路３２、３３上を転動するとき、各払出球供給通路３２、３３において、上側スイッチ３４の一対の導電性部材３４A、３４Bが遊技球と接触状態のときには下側スイッチ３５の一対の導電性部材３５A、３５Bは遊技球と非接触状態となり、反対に、上側スイッチ３４の一対の導電性部材３４A、３４Bが遊技球と非接触状態のときには下側スイッチ３５の一対の導電性部材３５A、３５Bは遊技球と接触状態となる。
【００３２】
上側スイッチ３４の一対の導電性部材３４A、３４B、及び下側スイッチ３５の一対の導電性部材３５A、３５Bには、それぞれ電圧が印加されており、遊技球と接触状態のとき遊技球の導電性により導通状態となり、遊技球と非接触状態のとき遮断状態となる。
【００３３】
上記のように構成される上側スイッチ３４及び下側スイッチ３５は、タンクレール１２内の遊技球が正常に賞球払出装置１１に供給されているときには、短い周期で交互に導通、遮断を繰り返す。これに対し、タンクレール１２内で球詰まりが発生した場合には、上側スイッチ３４又は下側スイッチ３５のいずれか一方のスイッチ３４又は３５が導通状態を継続する。また、タンクレール１２内が球切れになった場合には、上側スイッチ３４及び下側スイッチ３５の両方のスイッチ３４及び３５が遮断状態を継続する。このため、賞球払出装置１１が作動中であることを条件として、上側スイッチ３４と下側スイッチ３５の導通時間及び遮断時間を計測し、上側スイッチ３４又は下側スイッチ３５のいずれか一方のスイッチ３４又は３５の導通時間が、正常時の導通時間に基づき設定された所定導通時間を超えたことを検出することにより球詰まりを検出することが可能となり、また、上側スイッチ３４及び下側スイッチ３５の両方のスイッチ３４及び３５の遮断時間が、正常時の遮断時間に基づき設定された所定遮断時間を超えたことを検出することにより球切れを検出することが可能となる。
【００３４】
可変入賞装置２内のスイッチ２５、上皿５内の上側、下側スイッチ２８、２９、及びタンクレール１２内の２組の上側、下側スイッチ３４と３５、３４と３５は、図３に示すように、液晶画面の表示演出及びランプの点灯制御を行う演出制御基板（異常判定手段）５０に電気的に接続される。
【００３５】
演出制御基板５０は、可変入賞装置２内のスイッチ２５からの入力信号に基づき、このスイッチ２５の導通時間をタイマ手段５１によって計測し、導通時間が所定導通時間を超えたとき、不正行為が行われていると判断し、スピーカ５２とランプ５３のいずれか一方５２又は５３、又は両方５２及び５３を介して不正行為を報知し、あるいは、不正行為を検出した旨の信号をホールコンピュータ５４に出力する。
【００３６】
また、演出制御基板５０は、上皿５内の上側、下側スイッチ２８、２９からの入力信号に基づき、上側スイッチ２８の導通時間、遮断時間、及び下側スイッチ２９の導通時間、遮断時間をタイマ手段５１によって計測し、上側スイッチ２８又は下側スイッチ２９の導通時間が所定導通時間を超えたとき、球詰まりが発生したと判断し、スピーカ５２又はランプ５３を介して球詰まりを報知する。また、演出制御基板５０は、上側スイッチ２８及び下側スイッチ２９のオフ時間が所定遮断時間を超えたとき、球切れが発生したと判断し、スピーカ５２又はランプ５３を介して球切れを報知する。
【００３７】
また、演出制御基板５０は、タンクレール１２内の各払出球供給通路３２、３３の上側、下側スイッチ３４、３５からの入力信号に基づき、上側スイッチ３４の導通時間、遮断時間、及び下側スイッチ３５の導通時間、遮断時間をタイマ手段５１によって計測し、上側スイッチ３４又は下側スイッチ３５の導通時間が所定導通時間を超えたとき、球詰まりが発生したと判断し、スピーカ５２又はランプ５３を介して球詰まりを報知する。また、演出制御基板５０は、上側スイッチ３４及び下側スイッチ３５の遮断時間が所定遮断時間を超えたとき、球切れが発生したと判断し、スピーカ５２又はランプ５３を介して球切れを報知する。
【００３８】
図１８において、変形例に係る可変入賞装置２は、上述した図４図示の可変入賞装置２と略同様に構成されているが、図４図示の可変入賞装置２と異なり、人形１７の腹部のポケット部４０が特定領域を構成しておらず、ポケット部４０は、球受止板部１６の傾斜面１８から落下してきた遊技球を蓋４０aの開放時に受け取り、人形１７の股間から特定領域を構成するV入賞口３６の上方へと延びる案内通路３７へと誘導するガイドの役割をする。
【００３９】
この可変入賞装置２においては、左右方向中央に位置する３本のガイドレール４１A、４１B、４１Cに対し、左右一対の導電性部材４２A、４２Bからなるスイッチ４２と、このスイッチ４２の導電性部材４２Bを共用した左右一対の導電性部材４２B、４３Aからなるスイッチ４３を設けている。左右一対の導電性部材４２Aと４２B、又は４３Aと４２Bは、不正行為が行われて遊技球がガイドレール４１Aと４１B、又は４１Bと４１Cの上に磁石によって捕捉されているときに、遊技球と接触状態になる位置に設けられている。左右一対の導電性部材４２A、４２B間及び４３A、４２B間には電圧が印加されている。
【００４０】
この可変入賞装置２に対する不正行為は、図４図示の可変入賞装置２に対する不正行為と同様、可動翼部材１４が導入口１３を開放しているときに遊技球が装置２内に導入されたとき、強力な磁石を使用して前面ガラス板越しに遊技球を捕捉し、遊技球を左右方向中央のガイドレール４１Aと４１Bの上、又は、ガイドレール４１Bと４１Cの上に載せた状態に保つ。そして、ポケット部４０の蓋４０aが開放するタイミングを見計らって磁石を前面ガラス板から離して上記捕捉した遊技球を解放し、この遊技球を蓋４０aの開放したポケット部４０に入れるようにする。
【００４１】
この可変入賞装置２においても、不正行為が行われて遊技球が前面ガラス越しに捕捉された状態になったときのスイッチ４２、４３の導通時間は、正常時の導通時間と比べて十分長いため、スイッチ４２又は４３の導通時間が、正常時の導通時間に基づき設定された所定導通時間を超えたことを検出することによって不正行為の発生を検出することが可能となる。
【図面の簡単な説明】
【００４２】
【図１】本発明の一実施形態に係るパチンコ遊技機の正面図である。
【図２】同パチンコ遊技機の背面図である。
【図３】同パチンコ遊技機の電気系統図である。
【図４】同パチンコ遊技機の可変入賞装置の正面図である。
【図５】可変入賞装置に対する不正行為の説明図である。
【図６】上皿の平面図である。
【図７】上皿の正面図である。
【図８】上皿の要部拡大平面図である。
【図９】上皿の要部拡大正面図である。
【図１０】発射球供給通路の要部断面図である。
【図１１】タンクレールの平面図である。
【図１２】タンクレールの正面図である。
【図１３】タンクレールの要部拡大平面図である。
【図１４】タンクレールの要部拡大正面図である。
【図１５】上側スイッチ及び下側スイッチの取付説明図である。
【図１６】上側スイッチ及び下側スイッチの取付状態図である。
【図１７】上側スイッチ又は下側スイッチの取付断面図である。
【図１８】可変入賞装置の変形例の正面図である。
【符号の説明】
【００４３】
２    可変入賞装置
３    球発射装置
５    上皿
１１    賞球払出装置
１２    タンクレール
１９B、１９C    ガイドレール（球通路）
２０    ポケット部（特定領域）
２４    遊技球
２５    スイッチ
２５A、２５B    一対の導電性部材
２６    発射球供給通路
２８    上側スイッチ
２８A、２８B    一対の導電性部材
２９    下側スイッチ
２９A、２９B    一対の導電性部材
３２、３３    払出球供給通路
３４    上側スイッチ
３４A、３４B    一対の導電性部材
３５    下側スイッチ
３５A、３５B    一対の導電性部材
３６    V入賞口（特定領域）
４１A、４１B、４１C    ガイドレール
４２    スイッチ
４２A、４２B    一対の導電性部材
４３    スイッチ
４３A、４２B    一対の導電性部材
５０    演出制御基板（異常判定手段）
【図１】
0004634965.tif 000002
【図２】
0004634965.tif 000003
【図３】
0004634965.tif 000004
【図４】
0004634965.tif 000005
【図５】
0004634965.tif 000006
【図６】
0004634965.tif 000007
【図７】
0004634965.tif 000008
【図８】
0004634965.tif 000009
【図９】
0004634965.tif 000010
【図１０】
0004634965.tif 000011
【図１１】
0004634965.tif 000012
【図１２】
0004634965.tif 000013
【図１３】
0004634965.tif 000014
【図１４】
0004634965.tif 000015
【図１５】
0004634965.tif 000016
【図１６】
0004634965.tif 000017
【図１７】
0004634965.tif 000018
【図１８】
0004634965.tif 000019